(57)【特許請求の範囲】
【請求項１】
浴槽設置部と洗い場部と前記浴槽設置部と洗い場部との間に形成される堰部とを備えた床パンの浴槽設置部に浴槽を設置し、堰部の下方にて浴槽設置部と洗い場部とに跨って排水トラップを配置して、排水トラップの浴槽側トラップ開口を浴槽設置部の浴槽側床パン排水口に連通させると共に洗い場側トラップ開口を洗い場部の洗い場側床パン排水口に連通させ、浴槽側床パン排水口と浴槽に形成した浴槽排水口とを連通させると共に該浴槽排水口をレリースにより開閉する密閉栓蓋を設け、前記レリースの一端側を前記密閉栓蓋に接続すると共に、他端側を、浴槽側トラップ開口より排水トラップ内に導入して洗い場側トラップ開口より導出して堰部の洗い場部側を通して操作部に接続して成ることを特徴とする浴槽のポップアップ排水栓構造。
【請求項２】
排水トラップ内にレリースのガイドを設けて成ることを特徴とする請求項１記載の浴槽のポップアップ排水栓構造。
【請求項３】
浴槽のフランジ部の下面と堰部との間に内蓋部を設け、浴槽のフランジ部の洗い場部側の端部と床パンの洗い場部との間に化粧エプロンを設け、操作部を浴槽のフランジ部の前記内蓋部と化粧エプロンとの間の部分に設けると共にレリースを内蓋部と化粧エプロンとの間の空間を通して成ることを特徴とする請求項１又は２記載の浴槽のポップアップ排水栓構造。
【発明の詳細な説明】
【技術分野】
【０００１】
本発明は、レリースを遠隔操作することで密閉蓋栓にて浴槽排水口を開閉する浴槽のポップアップ排水栓構造に関するものである。
【背景技術】
【０００２】
従来から、浴槽の排水栓としてポップアップ排水栓が知られている（例えば特許文献１参照）。
【０００３】
床パン１は、図５に示すように、浴槽設置部１１と洗い場部１２と、前記浴槽設置部１１と洗い場部１２との間に形成される堰部１３とを備えており、前記浴槽設置部１１に浴槽２が設置される。床パン１の浴槽設置部１１と洗い場部１２の下方には排水トラップ３が配置されるもので、図には浴槽設置部１１と洗い場部１２の下方に跨って一つの排水トラップ３を設けた例を示している。排水トラップ３の浴槽側トラップ開口３１ａを浴槽設置部１１の浴槽側床パン排水口１４に連通接続させると共に洗い場側トラップ開口３１ｂを洗い場部１２の洗い場側床パン排水口１５に連通接続させる。また、浴槽側床パン排水口１４と、浴槽２に形成した浴槽排水口２０とを連通させる。図中の符号３６は浴槽側トラップ開口３１ａに配設されるトラップ蓋部である。
【０００４】
そして、浴槽２の浴槽排水口２０に、レリース５を遠隔より操作して密閉栓蓋４１を開閉する排水栓４を設け、前記レリース５を、浴槽２のフランジ部に設けた操作部に連結して、使用者が操作部を操作して遠隔操作で浴槽排水口２０を開閉するようになっている。
【特許文献１】特開２００１−２９５３４３号公報
【発明の開示】
【発明が解決しようとする課題】
【０００５】
ところで、従来の浴槽２のポップアップ排水栓４構造にあっては、密閉栓蓋４１（更に詳しくはメカボックス内の軸部）に連結されるレリース５は、一旦浴槽側トラップ開口３１ａのトラップ蓋部３６の孔部から排水トラップ３内に導入されて、再び浴槽側トラップ開口３１ａのトラップ蓋部３６の別の孔部３６ｃから導出されて、浴槽２と堰部１３との間の空間Ｓ’を通って浴槽２のフランジ部に設けた操作部に接続される。レリース５を排水栓４の密閉栓蓋４１に連結するには、浴槽２と堰部１３との間の空間Ｓ’に手を入れてレリース５を通してトラップ蓋部３６の孔部３６ｃに挿通して密閉栓蓋４１に連結する作業が必要となるが、前記作業を容易とするために浴槽２と堰部１３との間の空間Ｓ’を広く取ろうとすると、洗い場部１２を広くすることができなくなったり、浴槽２の幅寸法が小さくなってしまう、といった設計上の制約が増大してしまうものであった。
【０００６】
本発明は上記従来の問題点に鑑みて発明したものであって、その目的とするところは、レリースを排水栓に連結する作業を容易にするために浴槽と堰部との間の空間を広く取る必要がなくて、床パンの設計上の制約が増大するのを抑えることができる浴槽のポップアップ排水栓構造を提供することを課題とするものである。
【課題を解決するための手段】
【０００７】
上記課題を解決するために請求項１に係る発明にあっては、浴槽設置部１１と洗い場部１２と前記浴槽設置部１１と洗い場部１２との間に形成される堰部１３とを備えた床パン１の浴槽設置部１１に浴槽２を設置し、堰部１３の下方にて浴槽設置部１１と洗い場部１２とに跨って排水トラップ３を配置して、排水トラップ３の浴槽側トラップ開口３１ａを浴槽設置部１１の浴槽側床パン排水口１４に連通させると共に洗い場側トラップ開口３１ｂを洗い場部１２の洗い場側床パン排水口１５に連通させ、浴槽側床パン排水口１４と浴槽２に形成した浴槽排水口２０とを連通させると共に該浴槽排水口２０をレリース５により開閉する密閉栓蓋４１を設け、前記レリース５の一端側を前記密閉栓蓋４１に接続すると共に、他端側を、浴槽側トラップ開口３１ａより排水トラップ３内に導入して洗い場側トラップ開口３１ｂより導出して堰部１３の洗い場部１２側を通して操作部６に接続して成ることを特徴とするものである。
【０００８】
このような構成とすることで、レリース５の端部を浴槽２と堰部１３との間の空間Ｓに通してトラップ蓋部３６の孔部３６ｃに挿通して密閉栓蓋４１に連結する作業が不要となり、前記作業を容易にするために浴槽２と堰部１３との間の空間Ｓを広く取って床パン１の設計上の制約が増大してしまうのを抑えることが可能となるものである。
【０００９】
また、請求項２に係る発明は、請求項１に係る発明において、排水トラップ３内にレリース５のガイド７を設けて成ることを特徴とするものである。
【００１０】
このような構成とすることで、レリース５が直線状に張って排水トラップ３の内部をスムーズに送られないといったことを防止することができる。
【００１１】
また、請求項３に係る発明は、請求項１又は２に係る発明において、浴槽２のフランジ部２２の下面と堰部１３との間に内蓋部８を設け、浴槽２のフランジ部２２の洗い場部１２側の端部と床パン１の洗い場部１２との間に化粧エプロン９を設け、操作部６を浴槽２のフランジ部２２の前記内蓋部８と化粧エプロン９との間の部分に設けると共にレリース５を内蓋部８と化粧エプロン９との間の空間Ｓを通して成ることを特徴とするものである。
【００１２】
このような構成とすることで、内蓋部８と化粧エプロン９との間の空間Ｓを有効に利用してレリース５を配設することができる。
【発明の効果】
【００１３】
本発明にあっては、レリースの端部を浴槽と堰部との間の空間に通してトラップ蓋部の孔部に挿通して密閉栓蓋に連結する作業が不要となり、前記作業を容易とするために浴槽と堰部との間の空間Ｓ’を広く取ろうとして、洗い場部を広くすることができなくなったり、浴槽の幅寸法が小さくなってしまう、といった設計上の制約が増大するのを抑えることが可能となり、設計の自由度が増大する。
【発明を実施するための最良の形態】
【００１４】
以下、本発明の一実施形態について添付図面に基づいて説明する。
【００１５】
床パン１は、図１に示すように、浴槽設置部１１となる浴槽側床パン１ａと、洗い場部１２となる洗い場側床パン１ｂとで構成され、浴槽側床パン１ａと洗い場側床パン１ｂとの間には堰部１３が配置される。この床パン１は、浴槽側床パン１ａと洗い場側床パン１ｂとが一体成形された一体型床パン１や、浴槽側床パン１ａと洗い場側床パン１ｂとが別体となった分割型床パン１のいずれでもよいが、いずれの場合でも浴槽側床パン１ａと洗い場側床パン１ｂとの間に堰部１３を設ける点では同様である。
【００１６】
浴槽２の底部２１には浴槽２の湯水を排水するための浴槽排水口２０が形成してあると共に、前記排水口に対応する浴槽側床パン１ａの底部にも浴槽側床パン排水口１４が形成してあり、また、洗い場側床パン１ｂの底部にも洗い場部１２の床上の湯水を排水するための洗い場側床パン排水口１５が形成してあり、浴槽側床パン排水口１４および洗い場側床パン排水口１５には排水トラップ３が配設してある。
【００１７】
排水トラップ３は、本発明では浴槽側床パン排水口１４から排出される湯水を洗い場側床パン排水口１５から排出される湯水と合流させて排水する連通型のトラップとなっていて、浴槽側床パン１ａの下方から洗い場側床パン１ｂの下方にかけて横方向に長い本体ケーシング３０を備え、本体ケーシング３０の浴槽側床パン排水口１４の下側に位置する部分と洗い場側床パン排水口１５の下側に位置する部分とにそれぞれ上方に開口する浴槽側トラップ開口３１ａと洗い場側トラップ開口３１ｂとが形成してある。なお、排水トラップ３は一体成形されていてもよいが、一体成形されている必要はないもので、本実施形態では浴槽側トラップ部３ａと洗い場側トラップ部３ｂとを別体として成形すると共に、浴槽側トラップ部３ａの流出口筒部３２ａと洗い場側トラップ部３ｂの流入口筒部３２ｂとを蛇腹状の可撓性を有する連通筒部３５で連結して形成してある。
【００１８】
浴槽側トラップ部３ａの浴槽側トラップ開口３１ａには筒状部３３ａ及びフランジ部３３ｂが設けてあり、このフランジ部３３ｂを浴槽側床パン排水口１４の周縁下面にパッキンＰ１を介して当接させ、浴槽側床パン１ａの上方側から筒状部３３ａ内に、略円形状をした蓋板部３６ａ及び該蓋板部３６ａの下面から下方に突出する蓋筒部３６ｂからなるトラップ蓋部３６の蓋筒部３６ｂを嵌入して、蓋筒部３６ｂの周縁部の下面とフランジ部３３ｂの上面とで浴槽側床パン排水口１４の周縁部を挟持することで、浴槽側トラップ部３ａを浴槽側床パン１ａに固定している。
【００１９】
また、浴槽２の底部２１に形成してある浴槽排水口２０には、レリース５を介して密閉栓蓋４１を遠隔操作するポップアップ式の排水栓４が取付けられる。排水栓４は、図２に示すように、メカボックス４２を収容した排水口金具４０と、該排水口金具４０とレリース５を介して接続される操作部６とで主体が構成される。排水口金具４０は、浴槽排水口２０内に挿入されると共に外面に雄ねじが形成してある排水筒部４０ｂと、該排水筒部４０ｂの上端に形成される排水フランジ部４０ａとからなり、前記排水筒部４０ｂを上方から浴槽排水口２０内に挿入して、排水口金具４０の排水フランジ部４０ａを浴槽２の底部２１の浴槽排水口２０の周縁部の上面にシスターパッキンＰ２を介して当接させ、下方よりナット４４を前記排水筒部４０ｂの雄ねじに螺合させて締結し、排水口金具４０の排水フランジ部４０ａとナット４４とで浴槽２の底部２１を挟持することで、排水口金具４０を浴槽２の底部２１に固定している。なお、排水口金具４０は金属でなく別部材で形成してもよい。
【００２０】
そして、トラップ蓋部３６上にパッキンＰ３を介して排水口金具４０の排水筒部４０ｂの下端を接合し、トラップ蓋部３６に形成してある開口と排水筒部４０ｂ内とを連通させて、浴槽２内から排水トラップ３に至る排水流路が形成される。
【００２１】
洗い場側トラップ部３ｂの洗い場側トラップ開口３１ｂにも同様に筒状部３４ａ及びフランジ部３４ｂが設けてあり、このフランジ部３４ｂを洗い場側床パン排水口１５の周縁下面にパッキンＰ４を介して当接させ、洗い場側床パン１ｂの上方側から筒状部３４ａ内に、略円形状をした蓋板部３７ａ及び該蓋板部３７ａの下面から下方に突出する蓋筒部３７ｂからなる洗い場側トラップ蓋部３７の蓋筒部３７ｂを嵌入して、蓋筒部３７ｂの周縁部の下面とフランジ部３４ｂの上面とで洗い場側床パン排水口１５の周縁部を挟持することで、洗い場側トラップ部３ｂを洗い場側床パン１ｂに固定している。
【００２２】
また、洗い場側床パン排水口１５は、洗い場側床パン１ｂの底部に形成した下方向きの凹所１６の底部に形成してあり、凹所１６の上開口には洗い場側床パン１ｂの底部の洗い場部１２と略面一となる凹所蓋部１７が配置してある。
【００２３】
洗い場側トラップ部３ｂには、本体ケーシング３０の内底面から上方に突出する下外筒部３８ａと、洗い場側トラップ蓋部３７の蓋板部３７ａの下面から下方に突出して前記下外筒部３８ａ内に挿入される上内筒部３８ｂとからなる封水部３８が形成してある。また、洗い場側トラップ部３ｂの本体ケーシング３０には流出口筒部３９が形成してあり、該流出口筒部３９には排水管（図示せず）が接続される。
【００２４】
排水トラップ３は、堰部１３の下方において洗い場側床パン１ｂと浴槽側床パン１ａとに跨って配置され、浴槽側床パン排水口１４の下側に浴槽側トラップ開口３１ａが位置すると共に洗い場側床パン排水口１５の下側に洗い場側トラップ開口３１ｂが位置するように設けられる。
【００２５】
排水口金具４０には、排水筒部４０ｂ内にメカボックス４２が配設固定される。メカボックス４２には底部の孔よりレリース５の一端側が挿入されていて、レリース５の挿入・引出によりメカボックス４２の蓋部の孔から上方に軸部４３が突出・没入し、これにより軸部４３の上端に固定されている密閉栓蓋４１が突没し、突出した時に浴槽排水口２０を開口して浴槽２内と排水トラップ３内を連通させた状態とすると共に、没入した時に浴槽排水口２０を閉塞するものである。レリース５の一端側は上述した密閉栓蓋４１（正確には密閉栓蓋４１から下方に突出する軸部４３）に接続されると共に、他端側は、浴槽２のフランジ部２２に設けた操作部６の押ボタン６１に接続されていて、使用者がこの押ボタン６１を操作することによりレリース５の押出・引張が行われてメカボックス４２への挿入・引出が行われる。
【００２６】
そして本発明では、レリース５を、浴槽側トラップ部３ａから洗い場側トラップ部３ｂにかけて排水トラップ３の内部を挿通させて、洗い場側トラップ蓋部３７の蓋板部３７ａに形成したレリース挿通孔３７ｃを介して洗い場側トラップ開口３１ｂから上方へと送出し、他端側を浴槽２のフランジ部２２に設けたメカボックス４２内へ収納するものである。
【００２７】
以上のような構成によれば、レリース５の端部を浴槽２と堰部１３との間の空間Ｓに通してトラップ蓋部３６の孔部３６ｃに挿通して密閉栓蓋４１に連結する作業が不要となり、前記作業を容易とするために浴槽２と堰部１３との間の空間Ｓを広く取ろうとして、洗い場部１２を広くすることができなくなったり、浴槽２の幅寸法が小さくなってしまう、といった設計上の制約が増大するのを抑えることが可能となり、設計の自由度が増大するものである。
【００２８】
また、図３に示すように排水トラップ３内にレリース５のガイド７を設けてもよい。ガイド７は、筒状をした部材からなり、両端部がそれぞれ浴槽側トラップ開口３１ａと洗い場側トラップ開口３１ｂとの下方に位置して、両端部の開口方向が上方を向くように設置され、中間部の内面が滑らかな面となっている。これにより、レリース５が直線状に張って排水トラップ３の内部をスムーズに送られないといったことを防止することができる。
【００２９】
図４に他の実施形態を示す。なお、図１に示す上実施形態と同じ構成については同符号を付して説明を省略し、主に異なる部分について説明する。
【００３０】
本実施形態では、浴槽２のフランジ部２２の下面と堰部１３との間に内蓋部８を設け、浴槽２のフランジ部２２の洗い場部１２側の端部と床パン１の洗い場部１２との間に化粧エプロン９を設けたものにおいて、操作部６を浴槽２のフランジ部２２の前記内蓋部８と化粧エプロン９との間の部分に設けると共にレリース５を内蓋部８と化粧エプロン９との間の空間Ｓを通したものである。
【００３１】
これにより、内蓋部８と化粧エプロン９との間の空間Ｓを有効に利用してレリース５を配設することが可能となる。
【図面の簡単な説明】
【００３２】
【図１】本発明の一実施形態の要部断面図である。
【図２】排水栓、操作部及びレリースの説明図である。
【図３】同上においてガイドを設けた例の要部断面図である。
【図４】更に他の実施形態の全体概略断面図である。
【図５】従来例の要部断面図である。
【符号の説明】
【００３３】
１    床パン
１ａ  浴槽側床パン
１ｂ  洗い場側床パン
１１  浴槽設置部
１２  洗い場部
１３  堰部
１４  浴槽側床パン排水口
１５  洗い場側床パン排水口
２    浴槽
２０  浴槽排水口
３    排水トラップ
３ａ  浴槽側トラップ部
３ｂ  洗い場側トラップ部
３１ａ  浴槽側トラップ開口
３１ｂ  洗い場側トラップ開口
３６  トラップ蓋部
３７  洗い場側トラップ蓋部
４１  密閉栓蓋
５    レリース
６    操作部
７    ガイド
８    内蓋部
９    化粧エプロン
Ｓ    空間
【図１】
0004966124.tif 000002
【図２】
0004966124.tif 000003
【図３】
0004966124.tif 000004
【図４】
0004966124.tif 000005
【図５】
0004966124.tif 000006